(57)【要約】【課題】流量制御弁の配管への取付部や弁本体の破損等を防止し、コイル装置のキャンへの組付作業を容易に行うことができるキャン及び流量制御弁を提供する。【解決手段】コイル装置１６が固定部材１７を介して外嵌され、弁体駆動機構を内蔵するキャン１であって、キャンは、有底円筒状に形成され、キャンの外周部２ａの閉端部側から開放端部側に向けて延設されて開放端部側に向かうにつれて底浅に形成され、キャンにコイル装置を外嵌する際に、固定部材の凸部１７ａを閉端部側から開放端部側に向けて案内する傾斜溝３と、凸部が傾斜溝によって案内されている状態で、又は凸部が傾斜溝によって案内された後、凸部と係合する凹部４とを備えるキャン及び流量制御弁１１。凹部を、傾斜溝上の最も開放端部側寄り、又は傾斜溝上の最も開放端部側寄りの位置から、キャンの軸線方向に対して垂直な面内において回転移動させた外周部２ａ上に設けることができる。【選択図】図１
2009236157.tif 000002
【特許請求の範囲】
【請求項１】
流量制御弁の構成部品としてのコイル装置が弾性を有する固定部材を介して外嵌されるとともに、弁体駆動機構を内蔵するキャンであって、
前記キャンは、有底円筒状に形成されるとともに、
該キャンの外周部の閉端部側から開放端部側に向けて延設されて該開放端部側に向かうにつれて底浅に形成され、該キャンに前記コイル装置を外嵌する際に、前記固定部材の凸部を前記閉端部側から開放端部側に向けて案内する傾斜溝と、
該凸部が該傾斜溝によって案内されている状態で、又は、該凸部が該傾斜溝によって案内された後、該凸部と係合する凹部とを備えることを特徴とするキャン。
【請求項２】
前記凹部は、前記傾斜溝上の最も開放端部側寄りに設けられることを特徴とする請求項１に記載のキャン。
【請求項３】
前記凹部は、前記傾斜溝上の最も開放端部側寄りの位置から、該キャンの軸線方向に対して垂直な面内において回転移動させた外周部上に設けられることを特徴とする請求項１に記載のキャン。
【請求項４】
弁室及び該弁室に連通する弁口を有する弁本体と、該弁口を開閉する弁体と、前記弁本体に固定され、弁体駆動機構を内蔵するキャンと、該キャンに弾性を有する固定部材を介して外嵌されるコイル装置とを備え、該コイル装置の電磁力によって前記弁体駆動機構を駆動することにより、前記弁体を介して前記弁口を開閉するか又は前記弁口の開度を調整する流量制御弁であって、
前記キャンは、有底円筒状に形成されるとともに、
該キャンの外周部の閉端部側から開放端部側に向けて延設されて該開放端部側に向かうにつれて底浅に形成され、該キャンに前記コイル装置を外嵌する際に、前記固定部材の凸部を前記閉端部側から開放端部側に向けて案内する傾斜溝と、
該凸部が該傾斜溝によって案内されている状態で、又は、該凸部が該傾斜溝によって案内された後、該凸部と係合する凹部とを備えることを特徴とする流量制御弁。
【請求項５】
前記凹部は、前記傾斜溝上の最も開放端部側寄りの位置に設けられることを特徴とする請求項４に記載の流量制御弁。
【請求項６】
前記凹部は、前記傾斜溝上の最も開放端部側寄りの位置から、前記キャンの軸線方向に対して垂直な面内において回転移動させた外周部上に設けられることを特徴とする請求項４に記載の流量制御弁。
【発明の詳細な説明】
【技術分野】
【０００１】
本発明は、空調機器における冷媒の流量制御等に用いられる流量制御弁、及び該流量制御弁を構成するキャンに関する。
【背景技術】
【０００２】
従来、空調機器における冷媒の流量制御や、風呂、シャワーにおける燃焼ガス、空気、温水、液体燃料等の流量制御には、磁力又は電力を利用して弁を開閉する流量制御弁が広く用いられている。この種の流量制御弁としては、例えば、特許文献１に記載された電磁弁等がある。
【０００３】
図４は、従来の流量制御弁の一例を示し、この流量制御弁５０は、コイル装置５１と、コイル装置５１に内嵌されるキャン５３と、キャン５３の下端部に固定される弁本体５４等から構成される。
【０００４】
コイル装置５１は、弾性材からなるストッパ５２を備え、ストッパ５２の凸部５２ａは、キャン５３の凹部５３ａと係合する。また、コイル装置５１は、電磁弁に用いる場合には、コイル、ボビン及びヨークを内蔵し、電動弁に用いる場合には、ステータ、コイル及びボビンを各々内蔵し、いずれの場合でも樹脂でモールドされる。
【０００５】
キャン５３は、外周部に等間隔に配置された４つの凹部５３ａを有し、この凹部５３ａは、上記ストッパ５２の凸部５２ａと係合する。キャン５３は、プランジャを内蔵し、上記コイル装置５１の電磁力によってプランジャが移動することにより、後述の弁体を介して弁口を開閉する。
【０００６】
弁本体５４は、キャン５３の下端部に固定されるとともに、入口側配管５５及び出口側配管５６が接続され、内部に弁室、弁口、弁体等を備える。この入口側配管５５及び出口側配管５６は、例えば、エアコンユニットの配管５７へろう付け（ろう付け部５８）される。
【０００７】
次に、コイル装置５１のキャン５３への組付方法について説明する。キャン５３の下端に弁本体５４を固定し、弁本体５４に接続された入口側配管５５及び出口側配管５６を各々配管５７へろう付けした後、キャン５３の上方からコイル装置５１を組み付ける。ここで、図５（ａ）に示すように、ストッパ５２の凸部５２ａをキャン５３に強く押し当てることにより、図５（ｂ）に示すように、ストッパ５２を弾性変形させながらコイル装置５１を下方へ移動させ、図５（ｃ）に示すように、凸部５２ａをキャン５３の凹部５３ａに係合させ、コイル装置５１のキャン５３への組付けが完了する。
【０００８】
【特許文献１】特開２００６−１８９１０９号公報
【発明の開示】
【発明が解決しようとする課題】
【０００９】
しかし、上記従来の流量制御弁５０においては、コイル装置５１をキャン５３に組み付ける際に、ストッパ５２の凸部５２ａをキャン５３に強く押し当てるため、キャン５３にはもちろん、流量制御弁５０全体にも図４に示すような矢印方向の荷重がかかる。これにより、上記ろう付け部分５８や、配管５７が破損したり、ストッパ５２が塑性変形して弾性が失われたり、薄肉に形成された弁本体５４が破損するなど、種々の問題があった。
【００１０】
また、上述のように、作業者が、コイル装置５１をキャン５３に組み付ける際に、ストッパ５２の凸部５２ａをキャン５３に強く押し当てた状態でコイル装置５１をキャン５３に対して所定位置まで押し込むのは容易ではなく、作業に長時間を要することもあった。
【００１１】
そこで、本発明は、上記従来の技術における問題点に鑑みてなされたものであって、上記各部の破損や弾性の消失を確実に防止するとともに、組付作業を容易に行うことができるキャン、及び該キャンを備えた流量制御弁を提供することを目的とする。
【課題を解決するための手段】
【００１２】
上記目的を達成するため、本発明は、流量制御弁の構成部品としてのコイル装置が弾性を有する固定部材を介して外嵌されるとともに、弁体駆動機構を内蔵するキャンであって、前記キャンは、有底円筒状に形成されるとともに、該キャンの外周部の閉端部側から開放端部側に向けて延設されて該開放端部側に向かうにつれて底浅に形成され、該キャンに前記コイル装置を外嵌する際に、前記固定部材の凸部を前記閉端部側から開放端部側に向けて案内する傾斜溝と、該凸部が該傾斜溝によって案内されている状態で、又は、該凸部が該傾斜溝によって案内された後、該凸部と係合する凹部とを備えることを特徴とする。
【００１３】
そして、本発明によれば、キャンにコイル装置を外嵌する際に、固定部材の凸部をキャンに形成した傾斜溝によって案内しながら、又は案内した後、該凸部をキャンの凹部と係合させることができるため、従来のように固定部材（上記ストッパに相当）の凸部をキャンに強く押し当てる必要がなく、流量制御弁に加えられる負荷を低減することができて各部の破損を確実に防止できるとともに、組み付け作業を容易に行うことができる。
【００１４】
前記キャンにおいて、前記凹部を、前記傾斜溝上の最も開放端部側寄りに設けることができる。これにより、固定部材の凸部をキャンに形成した傾斜溝によって案内しながら、固定部材の凸部をキャンの凹部と係合させることができる。
【００１５】
前記キャンにおいて、前記凹部を、前記傾斜溝上の最も開放端部側寄りの位置から、該キャンの軸線方向に対して垂直な面内において回転移動させた外周部上に設けることができる。これにより、固定部材の凸部をキャンに形成した傾斜溝によって案内した後、コイル装置をキャンに対して回転させて固定部材の凸部をキャンの凹部と係合させることができる。コイル装置をキャンに対して回転させる際には強い力が不要であるため、コイル部材をキャンに容易に組み付けることができる。
【００１６】
また、本発明は、弁室及び該弁室に連通する弁口を有する弁本体と、該弁口を開閉する弁体と、前記弁本体に固定され、弁体駆動機構を内蔵するキャンと、該キャンに弾性を有する固定部材を介して外嵌されるコイル装置とを備え、該コイル装置の電磁力によって前記弁体駆動機構を駆動することにより、前記弁体を介して前記弁口を開閉するか又は前記弁口の開度を調整する流量制御弁であって、前記キャンは、有底円筒状に形成されるとともに、該キャンの外周部の閉端部側から開放端部側に向けて延設されて該開放端部側に向かうにつれて底浅に形成され、該キャンに前記コイル装置を外嵌する際に、前記固定部材の凸部を前記閉端部側から開放端部側に向けて案内する傾斜溝と、該凸部が該傾斜溝によって案内されている状態で、又は、該凸部が該傾斜溝によって案内された後、該凸部と係合する凹部とを備えること特徴とする。
【００１７】
そして、本発明によれば、上記発明と同様に、固定部材の凸部をキャンに強く押し当てる必要がなく、各部の破損を確実に防止して、組み付け作業を容易に行うことができる。
【００１８】
前記流量制御弁において、前記凹部を、前記傾斜溝上の最も開放端部側寄りの位置に設けることができ、前記凹部を、前記傾斜溝上の最も開放端部側寄りの位置から、前記キャンの軸線方向に対して垂直な面内において回転移動させた外周部上に設けることもできる。
【発明の効果】
【００１９】
以上のように、本発明によれば、流量制御弁の配管への取付部や、弁本体の破損等を防止し、固定部材の変形も防止し、コイル装置のキャンへの組付作業を容易に行うことができるキャン及び流量制御弁を提供することができる。
【発明を実施するための最良の形態】
【００２０】
次に、本発明を電磁弁に適用した実施の形態について、図面を参照しながら説明する。
【００２１】
図１は、本発明にかかるキャンの一実施の形態を示し、このキャン１は、有底円筒状に形成された本体２と、本体２の外周部２ａの上端部２ｂ側から下方に向けて延設され、後述のストッパ（固定部材）１７の凸部１７ａを下方に案内する傾斜溝３と、凸部１７ａが傾斜溝３によって案内された後、この凸部１７ａと係合する凹部４とを備える。本体２の内部には、プランジャ、吸引子等の弁体駆動機構が配置される。
【００２２】
傾斜溝３は、図１（ｃ）に示すように、本体２の前面側と背面側の２箇所に配置され、本体２の上端部２ｂ側の上底部３ａより下底部３ｂの方が底浅に形成される。また、凹部４は、本体２の左右側面の相対向する位置に２つ配置され、この凹部４の下端部４ａと傾斜溝３の下端部３ｃは、キャン１の軸線に対して垂直な面Ｓ上、又は該面Ｓの近傍に存在する。
【００２３】
図２は、上記キャン１を備えた流量制御弁を示し、この流量制御弁１１は、大別して、キャン１と、キャン１の下端部に固定される弁本体１２と、弁本体１２に接続される入口側配管１３及び出口側配管１４と、両配管１３、１４の各々に接続されるエアコンユニット等の配管（不図示）と、キャン１にストッパ１７を介して固定されるコイル装置１６とを備える。ストッパ１７は、ばね鋼からなり、キャン１の本体２に形成された凹部４と係合する凸部１７ａを備える。
【００２４】
次に、コイル装置１６のキャン１への組付方法について、図２及び３を参照しながら説明する。
【００２５】
図２（ａ）に示すように、キャン１の下端部に弁本体１２を固定し、弁本体１２に接続された入口側配管１３及び出口側配管１４の自由端部をユニット配管（不図示）へろう付けした後、キャン１の上方からコイル装置１６を組み付ける。
【００２６】
ここで、図３（ａ）に示すように、ストッパ１７の凸部１７ａを、キャン１の傾斜溝３に挿入しながら、コイル装置１６を下方に移動させる。この傾斜溝３により、凸部１７ａを容易に下方に導くことができ、凸部１７ａをキャン１に強く押し当てる必要がないため、キャン１及び流量制御弁１１全体にかかる負荷を軽減することができる。
【００２７】
そして、図３（ｂ）に示すように、凸部１７ａを傾斜溝３の最下部まで移動させた後、コイル装置１６をキャン１に相対的に９０°回転させることにより、図３（ｃ）示すように、ストッパ１７の凸部１７ａとキャン１の凹部４とが係合して組付けが完了する。尚、この相対回転は、低いトルクで行うことができるため、作業者は、片手でも容易に組付作業を行うことができ、キャン１及び流量制御弁１１全体にかかる負荷も最小限に抑えることができる。
【００２８】
尚、本実施の形態においては、キャン１の傾斜溝３を本体２の前面側と背面側の２箇所に配置し、凹部４を本体２の左右側面の相対向する２箇所に配置したが、このような構成に限定されることなく、傾斜溝３の数、凹部４の数、及び傾斜溝３と凹部４との位置関係は、種々変更可能である。
【００２９】
また、本実施の形態においては、キャン１の凹部４を傾斜溝３から離間した位置に配置したが、凹部４を傾斜溝３の最下部に設けることもできる。これにより、コイル装置１６をキャン１に組み付ける際に、両者を相対的に回転させる工程を省くことができ、より容易に組付けを行うことができる。
【図面の簡単な説明】
【００３０】
【図１】本発明にかかるキャンの一実施の形態を示す図であって、（ａ）は正面図、（ｂ）は側面図、（ｃ）は平面図である。
【図２】本発明にかかる流量制御弁の一実施の形態を示す図であって、（ａ）は、コイル装置をキャンに組み付ける前の状態を、（ｂ）は組付後の状態を示す。
【図３】図２（ｂ）に示す流量制御弁のＡ部拡大図である。
【図４】従来の流量制御弁の一例を示す全体概略図である。
【図５】図４に示す流量制御弁のＢ部拡大図である。
【符号の説明】
【００３１】
１  キャン
２  本体
２ａ  外周部
２ｂ  上端部
３  傾斜溝
３ａ  上底部
３ｂ  下底部
３ｃ  下端部
４  凹部
４ａ  下端部
１１  流量制御弁
１２  弁本体
１３  入口側配管
１４  出口側配管
１６  コイル装置
１７  ストッパ
１７ａ  凸部
【図１】
2009236157.tif 000003
【図２】
2009236157.tif 000004
【図３】
2009236157.tif 000005
【図４】
2009236157.tif 000006
【図５】
2009236157.tif 000007